(57)【要約】      （修正有）【課題】腰捻りフィットネス機器において、より高いトレーニング効果と娯楽性を享受でき、トレーニングに対する意欲を高めることを実現する。【解決手段】一つの着地フレーム１１及びその着地フレームに縦に設置された縦フレーム１２を有する一つの主架体１０と、主架体の縦フレームに、一定の高さに設置されている一つの手すりフレーム２０と、その上部を回転支持部３１によって主架体の前記縦フレームに接合されて揺動状態で設置されており、その下部は揺動動作を行えるスイング部３２を形成している一つの縦方向スイング架体３０と、縦方向スイング架体のスイング部に取り付けられ、横向き回転及び回転移動動作を行うことができる一つの回転プレート４０を有する。回転プレートは、その底部の片側が接合パーツ５０によって一つの底板５１と締結してあり、回転プレートはめくり上げることが可能である。【選択図】図１
0003139078.tif 000002
【実用新案登録請求の範囲】
【請求項１】
一つの着地フレーム（１１）及びその着地フレームに縦に設置された縦フレーム（１２）を有する一つの主架体（１０）と、
前記主架体の前記縦フレームに、一定の高さに設置されている一つの手すりフレーム（２０）と、
その上部を回転支持部（３１）によって前記主架体の前記縦フレームに接合されて揺動状態で設置されており、その下部は揺動動作を行えるスイング部（３２）を形成している一つの縦方向スイング架体（３０）と、
前記縦方向スイング架体の前記スイング部に取り付けられ、横向き回転及び回転移動動作を行うことができる一つの回転プレート（４０）を有するスイング式腰捻りフィットネス機器。
【請求項２】
前記主架体の前記縦フレーム（１２）は、左右に間隔を開けて配置された二つの縦支持ロッド（１２１）を有し、
前記二つの縦支持ロッドの頂端の間には、二つの側面ロッド部（１３１）及び一つの前端ロッド部（１３２）よりなり、前記主架体の前端に向かって横向きに伸びた一つの逆Ｕ字フレーム（１３）が設けてあり、
前記縦方向スイング架体（３０）は、その頂端が前記二つの側面ロッド部（１３１）の後端に設置された構成であり、
且つ、前記手すりフレーム（２０）は、前記前端ロッド部（１３２）の上部に間隔を開けた状態で装着されている二つの縦ハンドル（２１）によって構成してある、請求項１に記載のスイング式腰捻りフィットネス機器。
【請求項３】
前記縦方向スイング架体（３０）は、一つのＵ字ロッドよりなり、
前記縦方向スイング架体のスイング部（３２）は前記Ｕ字ロッドの底部のロッドによって構成され、
前記スイング部の中段部位に一つのベアリングホルダー（３２１）が固定してあり、前記回転プレート（４０）の底部より突出した一つの軸柱（４１）が前記ベアリングホルダーを貫通し、一つのナット（４３）が前記軸柱（４１）の下端のスクリュー部（４２）に締結してあり、前記軸柱と前記ベアリングホルダーとが組み合わさっている、請求項１又は請求項２に記載のスイング式腰捻りフィットネス機器。
【請求項４】
前記逆Ｕ字フレーム（１３）の二つの側面ロッド部（１３１）に、ひじパッド（１３３）が装着してある、請求項２に記載のスイング式腰捻りフィットネス機器。
【請求項５】
前記縦方向スイング架体（３０）は、前記回転支持部（３１）と前記スイング部（３２）との間に可伸縮調整部位（３３）を有し、
前記スイング部（３２）及び前記回転プレート（４０）の高さを調整することが可能である、請求項１に記載のスイング式腰捻りフィットネス機器。
【請求項６】
前記回転プレート（４０）は、その底部の片側が接合パーツ（５０）によって一つの底板（５１）と締結してあり、前記回転プレート（４０）はめくり上げることが可能であり、
且つ、前記回転プレート（４０）のめくり側と前記底板（５１）の間に、前記回転プレートの固定、収納状態を切り替えることのできる位置制御パーツ（５２）を有する、請求項１に記載のスイング式腰捻りフィットネス機器。
【考案の詳細な説明】
【技術分野】
【０００１】
本考案はスイング式腰捻りフィットネス機器に係り、特にスイング及び回転機能を兼備した腰捻りフィットネス機器に関する。
【背景技術】
【０００２】
忙しい現代のビジネス社会において、人々はアウトスポーツができる時間が非常に少ないため、室内で使用できるフィットネス器材は新陳代謝促進、身体の健康と体力を培うための便利な手段として幅広く利用されている。
【０００３】
近年、関連業界では次から次へと新しい技術が開発され、現在では多種多様なフィットネス器材が市場で販売されている。そして、フィットネス器材はその必要とされる鍛錬効果に基づいて設計されるため、エアロバイク、ステッパー、ローイングマシーン、ダンベルマシーン、ランニングマシーン、腰捻りフィットネス機器などといった、それぞれ異なる特色を有するフィットネス器材が開発されている。本考案は腰捻りフィットネス機器の改良構造を提案するものである。
【０００４】
従来の一般的な腰捻りフィットネス機器は使用者がその上に立つまたは座ることのできる一つの回転プレート及びバランスをとるための手すりによって構成されており、使用者はその回転プレートの上に乗って腰捻り運動を行うというものである。但し、このような従来の腰捻りフィットネス機器は単調な往復回転運動しか行えないため、使用者はすぐに退屈してしまうだけでなく、運動形態が単調なため、トレーニング及び娯楽の効果が欠如している。
【０００５】
その後、ある業者は回転プレートと弧形レールを組み合わせた腰捻りフィットネス機器の改良構造を考案し、腰捻り運動を行う同時に、弧形ルートに沿った前後の往復トレーニングが可能となった。
【考案の開示】
【考案が解決しようとする課題】
【０００６】
しかし、このような腰捻りフィットネス機器はフィットネス機器のベース部分に弧形レールを設置しなければならず、またその弧形レールは一定のトレーニング効果を実現すべく、ある程度の長さを必要とするため、腰捻りフィットネス機器の体積が極めて大きくなり、生産業者にとっては部材コスト及び物流コストが増え、使用者にとっては大きなスペースを占めることに加え、収納が不便という欠点が存在する。
【０００７】
よって、従来の腰捻りフィットネス機器構造の問題点を改善し、より理想的で実用性を伴った新型構造を開発することは消費者が待望することであり、関連業者の目指すところでもある。
【０００８】
本考案者は長年関連製品の設計開発に携わってきた経験を活かし、上述の目標を達成すべく、工夫を凝らした設計を取り入れ、慎重に評価を重ねた後にやっとこのような実用性をもった考案を提案した。
【０００９】
本考案は、上記課題を解決した腰捻りフィットネス機器を提供することを目的とする。
【課題を解決するための手段】
【００１０】
本考案は、一つの着地フレーム（１１）及びその着地フレームに縦に設置された縦フレーム（１２）を有する一つの主架体（１０）と、
前記主架体の前記縦フレームに、一定の高さに設置されている一つの手すりフレーム（２０）と、
その上部を回転支持部（３１）によって前記主架体の前記縦フレームに接合されて揺動状態で設置されており、その下部は揺動動作を行えるスイング部（３２）を形成している一つの縦方向スイング架体（３０）と、
前記縦方向スイング架体の前記スイング部に取り付けられ、横向き回転及び回転移動動作を行うことができる一つの回転プレート（４０）を有することを特徴とする。
【考案の効果】
【００１１】
スイング及び腰捻りの運動を同時に行えるため、退屈させることなく、より高いトレーニング効果と娯楽性を享受でき、トレーニングに対する意欲を高めることが出来る。
【考案を実施するための最良の形態】
【００１２】
以下、本考案の実施例になる箸について説明する。
【実施例１】
【００１３】
図１は本考案の実施例１になる腰捻りフィットネス機器Ａを示す。図２乃至図５は腰捻りフィットネス機器Ａのうち回転プレートの部分を示し、図６は可伸縮調整部位の構造を示す。
【００１４】
スイング式腰捻りフィットネス機器Ａは、一つの主架体１０と、一つの手すりフレーム２０と、一つの縦方向スイング架体３０と、一つの回転プレート４０とを含む構成である。
【００１５】
主架体１０は、一つの着地フレーム１１及びその着地フレーム１１に縦に設置された縦フレーム１２を有する。着地フレーム１１は、一つの横置き逆Ｕ字ロッドと数本の連結支持ロッドを組み合わせたものである。
【００１６】
手すりフレーム２０は、主架体１０の縦フレーム１２の一定の高さに設置されている。
【００１７】
縦方向スイング架体３０は、主架体１０の縦フレーム１２に揺動可能状態に設置されている。縦方向スイング架体３０の上部は、回転支持部３１によって縦フレーム１２に接合され、縦方向スイング架体３０の下部は揺動動作を行えるスイング部３２を形成している。
【００１８】
回転プレート４０は、縦方向スイング架体３０のスイング部３２に取り付けられ、横向き回転及び回転移動動作（３６０°回転もしくは一定の角度や範囲内におけるスイング動作）を行うことができる。また、図２に示すように、回転プレート４０はその底部の片側に接合パーツ５０を使って一つの底板５１が締結してあり、回転プレート４０をめくり上げることができる。さらに、回転プレート４０のめくり側と底板５１の間には、回転プレート４０の固定状態若しくは収納状態を切り替えることのできる位置制御パーツ５２が装着してある。このような構成により、回転プレート４０をめくり上げて収納できるため、縦方向スイング架体３０の梱包体積及び収納スペースを小さくすることができる。
【００１９】
主架体１０の縦フレーム１２は、左右に間隔を開けて配置された二つの縦支持ロッド１２１を含む。この二つの縦支持ロッド１２１の頂端の間には、主架体１０の前端に向かって横向きに伸びた一つの逆Ｕ字フレーム１３が設置されている。この逆Ｕ字フレーム１３は、二つの側面ロッド部１３１及び一つの前端ロッド部１３２を有している。これにより、縦方向スイング架体３０の頂端は二つの側面ロッド部１３１の後端に設置されている。また、手すりフレーム２０は二つの縦ハンドル２１によって構成され、その二つの縦ハンドル２１は前端ロッド部１３２の上部に間隔を開けた状態で装着されている。そして、逆Ｕ字フレーム１３の二つの側面ロッド部１３１にはひじパッド１３３が装着してある。ひじパッド１３３は軟性または弾性材質（例えばゴムやスポンジ等）とすることが望ましく、そうすることで、使用者は手すりフレーム２０を握ったとき、ひじの部分をひじパッド１３３に乗せて、安定かつ快適な使い心地を得ることができる。
【００２０】
また、縦方向スイング架体３０を一つのＵ字ロッドとすることで、縦方向スイング架体３０の下スイング部３２はそのＵ字ロッドの底部のロッドによって構成することができる。
【００２１】
図３及び図４に示すように、下スイング部３２の中段部位に一つのベアリングホルダー３２１が固定してある。回転プレート４０の底部より突出した一つの軸柱４１が前記のベアリングホルダー３２１に通してあり、一つのナット４３（本実施例では一つの蝶ナットを用いる）が軸柱４１の下端のスクリュー部４２に締結してある。これによって、軸柱４１がベアリングホルダー３２１と組み合わさっている。
【００２２】
また、図１に示すように、縦方向スイング架体３０の回転支持部３１とスイング部３２の間に、可伸縮調整部位３３が設けてある。この可伸縮調整部位３３を設けたことで、スイング部３２並びに回転プレート４０の高さを調整することができる。
【００２３】
図６は伸縮調整部位３３の具体的な構造形態を示す。同図に示すように、縦方向スイング架体３０の回転支持部３１とスイング部３２の間の縦支持ロッド部位は、上下に接合できる外パイプ部３４及び内ロッド部３５によって構成されており、内ロッド部３５は上下に間隔を開けて配置された複数の通孔３６を有し、外パイプ部３４にはそれに対応する位置決め孔３７が設けられ、そこには一つのサムノブ３８が取り付けられている。サムノブ３８は一つのスクリュー部３９を有し、相互対応する通孔３６と位置決め孔３７を締結することができる。これにより、内ロッド部３５の高さの異なる通孔３６と外パイプ部３４の位置決め孔３７を締結することで、縦方向スイング架体３０の縦方向の長さを変更できるため、使用者の体型に合わせて、スイング部３２ならび回転プレート４０の高さを調整することができる。
【００２４】
次に、上記構成のスイング式腰捻りフィットネス機器Ａを使用した運動の態様について、図７、図８、図９を参照して説明する。
【００２５】
使用者は、図７（Ａ）に示すように、両膝を回転プレート４０の上につけて跪き、縦フレーム１２に設置された手すりフレーム２０を両手で握り、ひじをひじパッド１３３に乗せる。続いて、使用者は、ブランコに乗るときと同じように身体を前後に揺らす。これによって、図７（Ｂ）、（Ｃ）に示すように、縦方向スイング架体３０の下スイング部３２の揺動の特性により、使用者は、スイング部３２を利用して前後のスイング動作を行うことができる。
【００２６】
更に、図７（Ａ）、（Ｂ）、（Ｃ）に矢印Ａで示すように、使用者は腰を捻ることによって、回転プレート４０の横向き回転及び回転移動の特性によって、使用者はスイング運動と同時に腰捻り運動を行うことができる。腰捻り運動につられてひざの部分が左右に動いたとき、回転プレート４０は、図８（Ａ），（Ｂ）に示すように、その動きに合わせて矢印Ｂで示すように、回転する。なお、図８はスイング架体３０が垂直である時の腰捻り運動のみをイメージして示す。
【００２７】
また、スイング運動及び腰捻り運動を行うとき、使用者は、手すりフレーム２０を握持して身体のバランスをとることができる。前記の説明から分かるように、本考案におけるスイング式腰捻りフィットネス機器Ａはスイング及び腰捻りというダブルトレーニング効果を有する。
【００２８】
使用者が身体を前後に揺らすことで、図９に示すように、スイング部３２を動かして前後のスイング運動を行うことができる。スイング部３２が矢印Ｃで示すように前方へスイングした時、使用者の身体は矢印Ｃ及び矢印Ｄで示すように屈膝して、背中が丸まった姿勢になるので、腹部の筋肉は圧迫されて収縮する。そして、スイング部３２を後方へスイングした時、使用者の腹部の筋肉はピンと伸ばされる。このような往復スイング運動により、腹部の筋肉の収縮、弛緩運動を繰り返し行い、腹筋鍛錬の効果を得ることができる。
【００２９】
上記構成のスイング式腰捻りフィットネス機器Ａは以下に挙げる効果を有する。
【００３０】
１．上記の構造を有するスイング式腰捻りフィットネス機器はスイング及び腰捻りの運動を同時に行えるため、退屈させることなく、より高いトレーニング効果と娯楽性を享受できる。また、より変化に富んだ動作を腰捻りフィットネス機器フィットネス機器に盛り込んだことで、トレーニング効果を向上させた実用的なものとなっている。
【００３１】
２．また、本構造になる縦方向スイング架体はシンプル構造で（例えば一つのＵ字架体とするなど）、スイング動作を行うときにだけ大きなスペースを必要とし、使わないときは小さく収納できるため、前記の背景技術の欄で掲げられた弧形レールを必要とする従来の構造に比べて、本考案のスイング式腰捻りフィットネス機器は、製造コストの低減、簡単に収納できるという実用的かつ経済的な利益を有する。
【００３２】
次に、上記構成のスイング式腰捻りフィットネス機器Ａが有する新しい機能について説明する。
【００３３】
上記構成のスイング式腰捻りフィットネス機器Ａは以下に記載する新しい機能を有する。
【００３４】
１．逆Ｕ字フレームの二つの側面ロッド部にはひじパッドを装着したことにより、使用者は手すりフレームを両手で握った時、ひじ部をひじパッドに乗せて、安定かつ快適な使い心地を得ることができる。
【００３５】
２．縦方向スイング架体３０の回転支持部とスイング部の間に可伸縮調整部位３３を設置することで、縦方向スイング架体の縦方向の長さを変更できるため、使用者の体型に合わせて、スイング部及び回転プレートの高さを調整することができる。
【００３６】
３．回転プレート４０にめくり上げ構造を採り入れたことにより、回転プレート４０をめくり上げて収納すれば、縦方向スイング架体３０の梱包体積及び収納スペースを小さくすることができるため、業者にとっては物流コストの低減、使用者にとっては収納スペースの節約につながる構造となっている。
【００３７】
上述の実施例は本考案を具体的に説明したものであり、文中では特定の専門用語を用いて説明しているが、実用新案登録請求の範囲を限定するものではなく、この技術分野を熟知した当事者は本考案の精神及び原則を逸脱しない限り、本考案に変更または改良を加えることができる。しかし、それらの変更または改良は全て本願の実用新案登録請求の範囲に含まれるものである。
【図面の簡単な説明】
【００３８】
【図１】本考案の実施例になる腰捻りフィットネス機器の斜視図である。
【図２】図１中の回転プレートのめくり上げ部分の構成を示す斜視図である。
【図３】回転プレートとこれを装着する部分とを示す分解斜視図である。
【図４】回転プレートを装着する部分を拡大して示す断面図である。
【図５】回転プレートの回転動作を示す図である。
【図６】図１中の可伸縮調整部位の構造を分解して示す斜視図である。
【図７】図１の腰捻りフィットネス機器を使用して運動している状態を示す図である。
【図８】図１の腰捻りフィットネス機器を使用して運動している状態を示す図である。
【図９】図１の腰捻りフィットネス機器を使用して運動している状態を示す図である。図である。
【符号の説明】
【００３９】
Ａ  腰捻りフィットネス機器
１０  主架体
１１  着地フレーム
１２  縦フレーム
１２１  縦支持ロッド
１３  逆Ｕ字フレーム
１３１  側面ロッド部
１３２  前端ロッド部
１３３  ひじパッド
２０  手すりフレーム
２１  縦ハンドル
３０  縦方向スイング架体
３１  回転支持部
３２  スイング部
３２１  ベアリングホルダー
３３  可伸縮調整部位
３４  外パイプ部
３５  内ロッド部
３６  通孔
３７  位置決め孔
３８  サムノブ
３９  スクリュー部
４０  回転プレート
４１  軸柱
４２  スクリュー部
４３  ナット
５０  接合パーツ
５１  底板
５２  位置制御パーツ
【図１】
0003139078.tif 000003
【図２】
0003139078.tif 000004
【図３】
0003139078.tif 000005
【図４】
0003139078.tif 000006
【図５】
0003139078.tif 000007
【図６】
0003139078.tif 000008
【図７】
0003139078.tif 000009
【図８】
0003139078.tif 000010
【図９】
0003139078.tif 000011